(57)【要約】【課題】高さ調節が容易にでき、また、台座部と枕部の着脱が容易な構造を有する洗髪台用昇降枕を提供する。【解決手段】理美容室で使用される洗髪台に対して用いられるものであって、上記洗髪台に設けられた洗髪ボウルＢの内面Ｂ１に配位される台座部１と、上記台座部１から上方に伸びるように設けられた軸部２と、上記軸部２の上端に設けられたものであり、洗髪施術を受ける者の頭部を上面３１にて支持できる枕部３と、上記軸部２に設けられたものであって、上記台座部１に対する上記枕部３の高さ調整が可能な昇降部４とを備えたことを特徴とする洗髪台用昇降枕を提供する。【選択図】図３
0003136992.tif 000002
【実用新案登録請求の範囲】
【請求項１】
理美容室で使用される洗髪台に対して用いられるものであって、
上記洗髪台に設けられた洗髪ボウル（Ｂ）の内面（Ｂ１）に配位される台座部（１）と、
上記台座部（１）から上方に伸びるように設けられた軸部（２）と、
上記軸部（２）の上端に設けられたものであり、洗髪などの施術を受ける者の頭部を上面（３１）にて支持できる枕部（３）と、
上記軸部（２）に設けられたものであって、上記台座部（１）に対する上記枕部（３）の高さ調整が可能な昇降部（４）とを備えたことを特徴とする洗髪台用昇降枕。
【請求項２】
上記台座部（１）に、少なくとも上端が開口された軸部支持孔（１１）が設けられており、
この軸部支持孔（１１）に対し、上記軸部（２）における下端部（２ａ）が抜き差し可能に配位されており、
上記軸部支持孔（１１）の内径及び上記軸部（２）における下端部（２ａ）の直径が、上方から下方へ向かうにつれて縮小するように形成されたことを特徴とする、請求項１に記載の洗髪台用昇降枕。
【請求項３】
上記直径の縮小により、上記軸部支持孔（１１）の内面（Ｂ１）と上記軸部（２）の下端部（２ａ）の外面とが各々テーパ面とされ、
上記テーパ面の傾斜が一致したことにより、上記軸部支持孔（１１）に上記軸部（２）が差し込まれた際に両者が面接触することを特徴とする、請求項２に記載の洗髪台用昇降枕。
【請求項４】
上記台座部（１）の下端面（１２）に、上記洗髪ボウル（Ｂ）の内面（Ｂ１）に対して吸着可能な吸盤（５）、及び、
上記軸部支持孔（１１）と貫通する水抜き孔（１３）が設けられたことを特徴とする、請求項３に記載の洗髪台用昇降枕。
【請求項５】
上記軸部（２）が、下側の固定軸（２１）と上側の昇降軸（２２）とから構成されており、
上記固定軸（２１）は、中実体あるいは中空体とされており、
上記昇降軸（２２）は、上記固定軸（２１）の外側を摺動可能に設けられた中空体であり、
上記昇降部（４）が、上記固定軸（２１）と上記昇降軸（２２）とにわたるように設けられたものであり、
上記固定軸（２１）には、ストッパー部（４２）と、このストッパー部（４２）の一部が上記固定軸（２１）から径方向に突出するようにストッパー部（４２）を付勢するための押しばね（４３）が設けられており、
上記ストッパー部（４２）は、大径突出部（４２ｂ）と小径突出部（４２ｃ）とを有しており、
上記昇降軸（２２）の側面には、上下方向に長孔である昇降用孔（４４）が貫通して設けられており、
この昇降用孔（４４）の下端には、幅寸法が拡大された広幅部（４４ｂ）を有しており、
この広幅部（４４ｂ）は、幅寸法が上記ストッパー部（４２）の大径突出部（４２ｂ）よりも大きく形成されており、
上記昇降用孔（４４）の上記広幅部（４４ｂ）以外の部分である本体部（４４ａ）は、幅寸法が上記ストッパー部（４２）の小径突出部（４２ｃ）よりも大きく、かつ、大径突出部（４２ｂ）よりも小さく形成されており、
この広幅部（４４ｂ）に上記ストッパー部（４２）が位置した際においては、上記ストッパー部（４２）の大径突出部（４２ｂ）がこの広幅部（４４ｂ）から外部に突出し、
上記本体部（４４ａ）に上記ストッパー部（４２）が位置した際においては、上記ストッパー部（４２）の小径突出部（４２ｃ）がこの本体部（４４ａ）から外部に突出するが、同大径突出部（４２ｂ）は突出しないことを特徴とする、請求項４に記載の洗髪台用昇降枕。
【考案の詳細な説明】
【技術分野】
【０００１】
本願考案は、理美容室などで使用される洗髪台に対して用いられる昇降枕に関するものである。
【背景技術】
【０００２】
【特許文献１】特開平８−１３１２３２号公報
【特許文献２】特開２００６−１５８７５５号公報
【０００３】
従来より、理美容室などで施術を受ける者（被施術者）の毛髪を洗うため、店内に備え付けられた洗髪台が存在する。この洗髪台は陶器、金属、プラスチックからなる洗髪ボウルを備えている。この洗髪ボウル上に被施術者の頭部を位置させるために、洗髪ボウルの縁部には凹部が形成されており、この凹部に被施術者の首が配位されて仰向けの状態となり、その状態で被施術者に洗髪やマッサージなどの施術がなされる。
【０００４】
上記の凹部に被施術者の首が直接置かれると、首筋に痛みが走ったりして被施術者に不快感を与える原因となる。そのため、この凹部には、特許文献１に記載のようなクッション部材が配位されることが多い。
【０００５】
また、特許文献２に記載のように、洗髪ボウルの内面に枕状の「洗髪台用枕」を置いてこれで被施術者の頭部を支持することもあった。
【考案の開示】
【考案が解決しようとする課題】
【０００６】
しかしながら、被施術者の体格は様々であるのに対し、上記のクッション部材や「洗髪台用枕」は、洗髪台に対して位置関係を調整することができず、被施術者にとって高すぎたり低すぎたりして、被施術者の頭部の重さを充分に支持できず、依然として不快感を与えることがあった。
【０００７】
また、特許文献２の「洗髪台用枕」においては、実施例の一つとして、洗髪ボウルに配位される台座部と、被施術者の頭部を支えるための枕部との間を首振り可能として、所望の角度で頭部を支持できるものが挙げられている。しかし、この実施例では台座部と枕部との間はねじ止めされており、両者を容易に分離できるものとはなっていない。
【０００８】
しかし使用状況によっては、洗髪ボウルに台座部を配位した状態のままで、枕部のみを簡単に取り外しできる方が便利な場合がある。
【０００９】
本願考案は上記のことに鑑み、高さ調節が容易にできる洗髪台用昇降枕を提供することを第１の課題とする。また、台座部と枕部の着脱が容易な構造を有する洗髪台用昇降枕を提供することを第２の課題とする。
【課題を解決するための手段】
【００１０】
上記課題を解決するために、本願の請求項１に係る考案は、理美容室で使用される洗髪台に対して用いられるものであって、上記洗髪台に設けられた洗髪ボウルＢの内面Ｂ１に配位される台座部１と、上記台座部１から上方に伸びるように設けられた軸部２と、上記軸部２の上端に設けられたものであり、洗髪施術を受ける者の頭部を上面３１にて支持できる枕部３と、上記軸部２に設けられたものであって、上記台座部１に対する上記枕部３の高さ調整が可能な昇降部４とを備えたことを特徴とする洗髪台用昇降枕を提供する。
【００１１】
また、本願の請求項２に係る考案は、上記台座部１に、少なくとも上端が開口された軸部支持孔１１が設けられており、この軸部支持孔１１に対し、上記軸部２における下端部２ａが抜き差し可能に配位されており、上記軸部支持孔１１の内径及び上記軸部２における下端部２ａの直径が、上方から下方へ向かうにつれて縮小するように形成されたことを特徴とする、請求項１に記載の洗髪台用昇降枕を提供する。
【００１２】
また、本願の請求項３に係る考案は、上記直径の縮小により、上記軸部支持孔１１の内面Ｂ１と上記軸部２の下端部２ａの外面とが各々テーパ面とされ、上記テーパ面の傾斜が一致したことにより、上記軸部支持孔１１に上記軸部２が差し込まれた際に両者が面接触することを特徴とする、請求項２に記載の洗髪台用昇降枕を提供する。
【００１３】
また、本願の請求項４に係る考案は、上記台座部１の下端面１２に、上記洗髪ボウルＢの内面Ｂ１に対して吸着可能な吸盤５、及び、上記軸部支持孔１１と貫通する水抜き孔１３が設けられたことを特徴とする、請求項３に記載の洗髪台用昇降枕を提供する。
【００１４】
また、本願の請求項５に係る考案は、上記軸部２が、下側の固定軸２１と上側の昇降軸２２とから構成されており、上記固定軸２１は、中実体あるいは中空体とされており、上記昇降軸２２は、上記固定軸２１の外側を摺動可能に設けられた中空体であり、上記昇降部４が、上記固定軸２１と上記昇降軸２２とにわたるように設けられたものであり、上記固定軸２１には、ストッパー部４２と、このストッパー部４２の一部が上記固定軸２１から径方向に突出するようにストッパー部４２を付勢するための押しばね４３が設けられており、上記ストッパー部４２は、大径突出部４２ｂと小径突出部４２ｃとを有しており、上記昇降軸２２の側面には、上下方向に長孔である昇降用孔４４が貫通して設けられており、この昇降用孔４４の下端には、幅寸法が拡大された広幅部４４ｂを有しており、この広幅部４４ｂは、幅寸法が上記ストッパー部４２の大径突出部４２ｂよりも大きく形成されており、上記昇降用孔４４の上記広幅部４４ｂ以外の部分である本体部４４ａは、幅寸法が上記ストッパー部４２の小径突出部４２ｃよりも大きく、かつ、大径突出部４２ｂよりも小さく形成されており、この広幅部４４ｂに上記ストッパー部４２が位置した際においては、上記ストッパー部４２の大径突出部４２ｂがこの広幅部４４ｂから外部に突出し、上記本体部４４ａに上記ストッパー部４２が位置した際においては、上記ストッパー部４２の小径突出部４２ｃがこの本体部４４ａから外部に突出するが、同大径突出部４２ｂは突出しないことを特徴とする、請求項４に記載の洗髪台用昇降枕を提供する。
【考案の効果】
【００１５】
本願の請求項１に係る考案は、軸部２に昇降部４を設けたことにより、高さ調節が容易にできる洗髪台用昇降枕を提供することができたものである。
【００１６】
また、本願の請求項２または３に係る考案は、上記の効果に加えて、上端が開口された軸部支持孔１１に対し、軸部２における下端部２ａが抜き差し可能に配位されており、軸部支持孔１１の内径及び軸部２における下端部２ａの直径が、上方から下方へ向かうにつれて縮小するように形成されたことにより、台座部１に対する軸部２の着脱が容易であって、このことから、台座部１と枕部３の着脱が容易な構造を有する洗髪台用昇降枕を提供することができたものである。
【００１７】
また、本願の請求項４に係る考案は、上記請求項３に係る考案の効果に加えて、吸盤５が設けられたことから、台座部１を洗髪ボウルＢに対して確実に固定することができる。また、軸部支持孔１１と貫通する水抜き孔１３が設けられたことから、固定軸２を取り外した後の軸部支持孔１１に入った水を容易に排出することができる。更には、この水抜き孔１３から空気を軸部支持孔１１に導入することもできるため、固定軸２を軸部支持孔１１から取り外す際に軸部支持孔１１の内部が真空状態とならず、比較的小さな抵抗で固定軸２の取り外しが可能である。
【００１８】
また、本願の請求項５に係る考案は、上記請求項４に係る考案の効果に加えて、ストッパー部４２を固定軸２１に押し込むだけで、容易に軸部の高さ調整ができる洗髪台用昇降枕を提供することができたものである。
【考案を実施するための最良の形態】
【００１９】
以下、図面に基づき本願考案の一実施例をとりあげて説明する。図１、図２は本例の洗髪台用昇降枕（軸部を伸ばした状態）を示し、図３は本例の洗髪台用昇降枕（軸部を伸ばした状態）が洗髪ボウルに取り付けられた状態を示し、図４は本例の洗髪台用昇降枕（軸部を縮めた状態）を示し、図５は本例の洗髪台用昇降枕（軸部を縮めた状態）が洗髪ボウルに取り付けられた状態を示す。
【００２０】
本例の洗髪台用昇降枕は台座部１、軸部２、枕部３を備えており、軸部２には昇降部４が設けられている。
【００２１】
台座部１は、図３に示すように洗髪台の洗髪ボウルＢの内面Ｂ１に配位されるものである。台座部１の下端面１２は洗髪ボウルＢの内面Ｂ１の形状に沿うように傾斜しており、これにより、後述する軸部２を略垂直に保持できる。
【００２２】
本例では、この台座部１の下端面１２に、上記洗髪ボウルＢの内面Ｂ１に対して吸着可能な吸盤５が設けられており、台座部１を洗髪ボウルＢの最も適切な位置に確実に固定することができる。逆に、台座部１が洗髪ボウルＢに接着されている訳ではないので、撤去するのも容易である。なお、本例のような吸盤５以外に、ゴムシートの取り付けや粘着層の形成などにより、台座部１が洗髪ボウルＢの内面Ｂ１に対して滑らないようにしても良い。
【００２３】
また、図１に示すように、この台座部１に、少なくとも上端が開口された軸部支持孔１１が設けられている。本例では横断面形状が円形の孔とされていて、内径が、上方から下方へ向かうにつれて縮小するように形成されたことで、内面がテーパ面とされている。この軸部支持孔１１には、軸部２の下端部２ａが抜き差し可能に配位される。
【００２４】
そして、台座部１の下端面１２には、上記の軸部支持孔１１と貫通する水抜き孔１３が設けられている。この水抜き孔１３は、固定軸２を下記のようにして取り外した後の軸部支持孔１１に入った水を容易に排出するためのものである。
【００２５】
また、上記の水抜きの機能に加えて、この水抜き孔１３からは、空気を軸部支持孔１１に導入することもでき、これにより、固定軸２を軸部支持孔１１から取り外す際に軸部支持孔１１の内部が真空状態とならないようにでき、比較的小さな抵抗で固定軸２の取り外しが可能である。つまり、この水抜き孔１３の存在によって、台座部１と固定軸２との着脱がより容易となる。
【００２６】
軸部２は、上記の台座部１に取り付けられた状態において、台座部１から上方に伸びるように設けられている。この軸部２における下端部２ａの直径は、上方から下方へ向かうにつれて縮小するように形成され、これにより外面がテーパ面となっている。このテーパ面は、同じくテーパ面とされた上記軸部支持孔１１の内面と傾斜が一致したものとされており、軸部支持孔１１に軸部２が差し込まれた際に両者が面接触する。この際の両者の摩擦により、軸部２は台座部１に対して不意に回動してしまうこともなく、確実に台座部１に取り付けられる。しかも、軸部２を上方に移動させることで、軸部２を台座部１から容易に抜き取ることができ、本例においては吸盤５によって固定されている台座部１をいちいち洗髪ボウルＢの内面Ｂ１から取り外さなくとも、軸部２及び枕部３のみを取り外すことができて使い勝手が大変良い。
【００２７】
枕部３は軸部２の上端に設けられたものであり、被施術者の頭部、具体的には後頭部を上面３１にて支持できる。よって、この枕部３の少なくとも上面３１については、クッション性のあるゴムやウレタンなどの柔軟な材料を用いることが望ましい。本例では、図２に示すように、上面３１の中央３１ａが凹んだ形状とされており、被施術者の後頭部をずれないように支持することができる。このように枕部３で被施術者の頭部を支持できるため、被施術者の首筋に圧迫感を与えることがなく、洗髪などの施術中において被施術者を快適な環境に置くことができる。
【００２８】
本例の軸部２は、図１に示すように、下側の固定軸２１と上側の昇降軸２２の二つの部材が組み合わされて構成されている。固定軸２１は、中実体あるいは中空体とされており、昇降軸２２は、固定軸２１の外側に差し込まれて摺動可能に設けられた中空体である。なお、上記とは逆に、固定軸２１が中空体で昇降軸２２が中実体であっても良い。また、本例においては、固定軸２１と昇降軸２２のいずれも横断面形状が円形とされているが、これに限られず、横断面形状が多角形であっても良い。
【００２９】
そして昇降部４は、固定軸２１と上記昇降軸２２とにわたるように設けられたものであり、上記の固定軸２１と昇降軸２２とが組み合わされた軸部２を伸縮させることのできる機構である。つまりこの昇降部４により、台座部１に対する枕部３の高さ調整が可能である。
【００３０】
この昇降部４は、固定軸２１の側にストッパー部収納孔４１、ストッパー部４２、押しばね４３が設けられており、昇降軸２２の側に昇降用孔４４が設けられている。
【００３１】
ストッパー部収納孔４１は固定軸２１の上端部分の径方向に横断するように設けられている。このストッパー部収納孔４１は、本例では固定軸２１を貫通する孔として設けられているが、これに限られず有底孔であっても良い。
【００３２】
ストッパー部４２は、縦断面が円形とされていて、図１上における左方から順に基部４２ａ、大径突出部４２ｂ、小径突出部４２ｃ、ボタン部４２ｄの各部を有している。基部４２ａは、上記のストッパー部収納孔４１の内部に納められ、ストッパー部収納孔４１に対して摺動する部分とされている。また、この基部４２ａの内部は空洞とされており、この空洞とされた部分に下記の押しばね４３の一端が配位される。大径突出部４２ｂは基部４２ａよりも小径であり、後述する昇降用孔４４との位置関係により、昇降用孔４４から飛び出したり、昇降用孔４４より昇降軸２２の内部寄りに位置したりする部分である。この大径突出部４２ｂと昇降用孔４４との対応関係については後述する。小径突出部４２ｃは大径突出部４２ｂよりも小径で、昇降用孔４４から常に突出している部分であり、ボタン部４２ｄは少なくとも小径突出部４２ｃよりも大径であって、この部分を指で押すことでストッパー部４２の一部がストッパー部収納孔４１に押し込まれる。
【００３３】
押しばね４３は、本例ではストッパー部収納孔４１の内部に納められたコイルスプリングであり、ストッパー部４２の一部、具体的には大径突出部４２ｂ、小径突出部４２ｃ、ボタン部４２ｄの各々が上記固定軸２１から径方向に突出するように付勢する。本例では、図１上の左端が昇降パイプ２２の内面に当接するようになされ、同右端が上記ストッパー部４２における基部４２ａの内部に配位される。
【００３４】
昇降用孔４４は、図６に示すような形状の長孔であり、中空体である昇降軸２２の側面に、上下方向に貫通して設けられたものである。本例では、長方形状の孔である本体部４４ａと、この本体部４４ａの下部に設けられた円形孔であり、本体部４４ａよりも幅寸法が拡大された広幅部４４ｂとを有している。本体部４４ａは、幅寸法が上記ストッパー部４２の小径突出部４２ｃよりも大きく、かつ、大径突出部４２ｂよりも小さく形成されている。そして、広幅部４４ｂは、幅寸法が上記ストッパー部４２の大径突出部４２ｂよりも大きく形成されている。
【００３５】
本体部４４ａ及び広幅部４４ｂは、ストッパー部４２に対して幅寸法が上記のような関係とされているため、図６（Ｂ）に示すように、広幅部４４ｂにストッパー部４２が位置した際においては、大径突出部４２ｂが広幅部４４ｂから外部に突出する。この際に大径突出部４２ｂは本体部４４ａの下端に引っ掛かることになり、昇降用孔４４内を上方には移動できなくなる。そのため本例では、固定軸２１に対して昇降軸２２が最も高い位置で固定される（図１〜３参照）。
【００３６】
一方、図６（Ｃ）に示すように、本体部４４ａの上端にストッパー部４２が位置した際においては、小径突出部４２ｃがこの部分から外部に突出するが、大径突出部４２ｂは突出しない。よって、この状態においてストッパー部４２は昇降用孔４４内を上下方向に移動できる。そのため、固定軸２１に対して昇降軸２２が落下して最も低い位置で止まる（図４，５参照）。
【００３７】
なお、図６（Ｂ）に示した状態（軸部２が伸びた状態）から図６（Ｃ）に示した状態（軸部２が縮んだ状態）に変化させるには、押しばね４３の付勢力に抗して、ストッパー部４２をストッパー部収納孔４１に押し込んでやれば良い。そうすると、昇降軸２２及び枕部３の自重により、自然に軸部２が縮んだ状態となり、被施術者の後頭部を洗う際などに枕部３が邪魔にならないよう引き下げることができる。
【００３８】
逆に、図６（Ｃ）に示した状態から図６（Ｂ）に示した状態に変化させるには、固定軸２１から昇降軸２２を引き出してやれば、昇降用孔４４の広幅部４４ｂとストッパー部４２とが一致した際に、押しばね４３の付勢により、自動的に大径突出部４２ｂが広幅部４４ｂから飛び出ることになる。これにより、軸部２が伸びた状態を維持でき、被施術者の前頭部を洗う際や頭部マッサージの際などに被施術者の頭部を確実に支持することができる。上記のようにして、大変容易に軸部２の高さ調節をすることができる。
【００３９】
本例の場合では、昇降部４はストッパー部４２を昇降用孔４４の一部に引掛けることにより軸部２を伸縮させることのできるものとされているが、他に固定軸２１と昇降軸２２とにねじ山が形成されたものであって、ねじ込みにより軸部２を伸縮させるものであっても良いし、固定軸２１と昇降軸２２とを径方向に貫通する孔と、その孔に対して抜き差し可能なピンとにより、軸部２を伸縮させるものであっても良い。また、本例のように昇降用孔４４を設ける場合であっても、軸部２から突出した大径突出部４２ｂが昇降用孔４４の一部に引っ掛かることにより、軸部２の長さが固定できるものであれば、本例のように本体部４４ａが長方形状とされ、広幅部４４ｂが円形状とされたもの以外の種々の形状で実施して良い。また、本例では、伸ばした状態と縮めた状態の二段階にのみ軸部２の高さ調節をするものであるが、三段階以上や無段階に高さ調節ができる構造としても良い。
【図面の簡単な説明】
【００４０】
【図１】本願考案の一実施例に係る洗髪台用昇降枕の縦断面図である。
【図２】本願考案の一実施例に係る洗髪台用昇降枕（軸部を伸ばした状態）の斜視図である。
【図３】本願考案の一実施例に係る洗髪台用昇降枕（軸部を伸ばした状態）が洗髪ボウルに取り付けられた状態を示す縦断面図である。
【図４】本願考案の一実施例に係る洗髪台用昇降枕（軸部を縮めた状態）の斜視図である。
【図５】本願考案の一実施例に係る洗髪台用昇降枕（軸部を縮めた状態）が洗髪ボウルに取り付けられた状態を示す縦断面図である。
【図６】（Ａ）は長孔の形状を示し、（Ｂ）は軸部を伸ばした状態における長孔とストッパー部との関係を示し、（Ｃ）は軸部を縮めた状態における長孔とストッパー部との関係を示す。
【符号の説明】
【００４１】
１      台座部
１１    軸部支持孔
１２    台座部の下端面
１３    水抜き孔
２      軸部
２ａ    軸部の下端部
２１    固定軸
２２    昇降軸
３      枕部
３１    枕部の上面
４      昇降部
４２    ストッパー部
４２ｂ  大径突出部
４２ｃ  小径突出部
４３    押しばね
４４    昇降用孔
４４ａ  本体部
４４ｂ  広幅部
５      吸盤
Ｂ      洗髪ボウル
Ｂ１    洗髪ボウルの内面
【図１】
0003136992.tif 000003
【図２】
0003136992.tif 000004
【図３】
0003136992.tif 000005
【図４】
0003136992.tif 000006
【図５】
0003136992.tif 000007
【図６】
0003136992.tif 000008